(57)【要約】【課題】  傾斜磁場コイルの作動により騒音が著しい撮影室内の被検者が、音声情報を聞き取り、認知し易い磁気共鳴画像診断装置を提供すること。【解決手段】  被検体の挿入される撮影空間に静磁場を発生させる静磁場コイルと、前記撮影空間に傾斜磁場を発生させる傾斜磁場コイルと、前記撮影空間に高周波磁場を発生させる高周波コイルと、前記傾斜磁場及び前記高周波磁場を含むパルスシーケンスを制御するパルスシーケンス制御手段と、前記傾斜磁場コイルの騒音レベルを決定する騒音レベル決定手段と、前記騒音レベルに応じて設定された音声レベルの音声データを出力する音声データ出力手段と、前記音声データに基づいて前記音声レベルで音声を放送する音声放送手段とを備えることを特徴とする磁気共鳴画像診断装置。【選択図】  図１
2006149622.tif 000002
【特許請求の範囲】
【請求項１】
被検体の挿入される撮影空間に静磁場を発生させる静磁場コイルと、
前記撮影空間に傾斜磁場を発生させる傾斜磁場コイルと、
前記撮影空間に高周波磁場を発生させる高周波コイルと、
前記傾斜磁場及び前記高周波磁場を含むパルスシーケンスを制御するパルスシーケンス制御手段と、
前記傾斜磁場コイルの騒音レベルを決定する騒音レベル決定手段と、
前記騒音レベルに応じて設定された音声レベルの音声データを出力する音声データ出力手段と、
前記音声データに基づいて前記音声レベルで音声を放送する音声放送手段と、を備えることを特徴とする磁気共鳴画像診断装置。
【請求項２】
前記騒音レベルを決定する手段は、撮影室に設置された集音マイクを含むことを特徴とする請求項１記載の磁気共鳴画像診断装置。
【請求項３】
前記騒音レベルを決定する手段は、前記パルスシーケンスの種類に応じて騒音レベルを決定することを特徴とする請求項１記載の磁気共鳴画像診断装置。
【請求項４】
前記音声データ出力手段は、予め保存した複数の所定の文言データを、磁気共鳴画像取得シーケンスに予め設定した順に読み出し、前記音声レベルの設定をした音声データを出力することを特徴とする請求項１記載の磁気共鳴画像診断装置。
【請求項５】
前記音声データ出力手段は、予め保存した複数の所定の文言データの中から少なくとも１つが選択され、前記音声レベルの設定をした音声データを出力することを特徴とする請求項１記載の磁気共鳴画像診断装置。
【請求項６】
前記音声データ出力手段は、磁気共鳴画像取得の操作を行う操作室に設置された音声マイクを含むことを特徴とする請求項１記載の磁気共鳴画像診断装置。
【請求項７】
前記傾斜磁場コイルから発生される振動騒音を軽減する静音化機構を具備してなることを特徴とする請求項１乃至６いずれか記載の磁気共鳴画像診断装置。
【発明の詳細な説明】
【技術分野】
【０００１】
本発明は、検査を受ける患者へ音声情報を伝達するシステムを具備した磁気共鳴画像診断装置に関する。
【背景技術】
【０００２】
従来の磁気共鳴画像診断装置では、磁気共鳴画像の撮影中は傾斜磁場コイルの振動による騒音が発生し、装置機種または撮影条件によって異なるが、撮影中の撮影室内の騒音レベルは、１００〜１２０ｄＢになると言われている。従って、撮影中は、操作室の技師や医師から、撮影室内の被検者へ音声による指示や連絡は不可能であった。このため、従来の磁気共鳴画像診断装置による撮影では、撮影室内にいる被検者への音声による指示や連絡などを確実に伝えるためには、一般的には撮影開始前、または一旦撮影を中断して行っている。
【０００３】
一方、撮影中に撮影室内の被検者から、操作者への連絡や応答などの音声連絡も騒音に埋もれて、同様に操作室では明瞭に聞き取り難くなる。特に撮影中の被検者からの体調や感覚に関する訴えを聴取することは不可欠であり、撮影室内の被検者が発する音声あるいは室内の音響変化で察知することが行われ、被検者の発声音および周囲の騒音を捉えるマイクで採取した信号に対し、撮影室内の騒音を擬似する信号によりこの騒音を相殺し、その残存信号を被検者からの音声出力とすることなどが知られている（例えば、特許文献１参照）。しかし、種々の騒音の状況に擬似騒音信号が相殺対応できるのか問題は残る。
【０００４】
またこの騒音に対しては、傾斜磁場コイルの振動を抑制する設計や、この振動の装置外へ伝播を抑制するなどの静音化機構を具備した磁気共鳴画像診断装置も開発されて、その騒音レベルは１００ｄＢ以下に低減される。しかし、撮影室内の騒音レベルは傾斜磁場コイルの励磁シーケンスに対応して、様々に変化し一定とならないため、撮影中の撮影室内への音声による指示や連絡が、正確に被検者に伝わらないこともある。
【特許文献１】特開２０００−３３３９３１号公報
【発明の開示】
【発明が解決しようとする課題】
【０００５】
上に述べた従来の磁気共鳴画像診断装置では、操作室から撮影室の被検者に指示や連絡を確実に伝えるためには、撮影を一旦中断して傾斜磁場コイルの作動を中断する必要があった。この中断は、連続的な観察を要する撮影においては、診断に支障を来すことになり、問題となっていた。特に、被検者に「息止め」あるいは「息止め解除」を指示する、あるいは被検者の不安を取り除くために撮影の残り時間を連絡するなどの傾斜磁場コイルの作動する撮影中に行う音声による指示・連絡が多くあり、これ等の連絡においては大きな問題となっていた。また、静音化機構を備える磁気共鳴画像診断装置であっても、励磁シーケンスにより騒音レベルが変動するので、一般的には騒音が低減されても、確実なコミュニケーションを行うためには、十分でないことがあった。
【０００６】
この発明は上記の問題点に鑑みてなされたもので、傾斜磁場コイルの作動により騒音が著しい、或いは騒音のレベルが変化している撮影室内の被検者へ、操作室から行う指示や連絡の音声情報を、良く聞き取れて、認知度を高める磁気共鳴画像診断装置を提供することを目的とする。
【課題を解決するための手段】
【０００７】
１上記の目的を達成するために、本発明の磁気共鳴画像診断装置は、被検体の挿入される撮影空間に静磁場を発生させる静磁場コイルと、前記撮影空間に傾斜磁場を発生させる傾斜磁場コイルと、前記撮影空間に高周波磁場を発生させる高周波コイルと、前記傾斜磁場及び前記高周波磁場を含むパルスシーケンスを制御するパルスシーケンス制御手段と、前記傾斜磁場コイルの騒音レベルを決定する騒音レベル決定手段と、前記騒音レベルに応じて設定された音声レベルの音声データを出力する音声データ出力手段と、前記音声データに基づいて前記音声レベルで音声を放送する音声放送手段とを備えることを特徴とするものである。
【０００８】
２さらに、上記本発明の磁気共鳴画像診断装置においては、前記騒音レベルを決定する手段は、撮影室に設置された集音マイクを含むことを特徴とするものである。
【０００９】
３さらに、上記本発明の磁気共鳴画像診断装置においては、前記騒音レベルを決定する手段は、前記パルスシーケンスの種類に応じて騒音レベルを決定することを特徴とするものである。
【００１０】
４さらに、上記本発明の磁気共鳴画像診断装置においては、前記音声データ出力手段は、予め保存した複数の所定の文言データを、磁気共鳴画像取得シーケンスに予め設定した順に読み出し、前記音声レベルの設定をした音声データを出力することを特徴とするものである。
【００１１】
５さらに、上記本発明の磁気共鳴画像診断装置においては、前記音声データ出力手段は、予め保存した複数の所定の文言データの中から少なくとも１つが選択され、前記音声レベルの設定をした音声データを出力することを特徴とするものである。
【００１２】
６さらに、上記本発明の磁気共鳴画像診断装置においては、前記音声データ出力手段は、磁気共鳴画像取得の操作を行う操作室に設置された音声マイクを含むことを特徴とするものである。
【００１３】
７さらに、上記本発明の磁気共鳴画像診断装置においては、前記傾斜磁場コイルから発生される振動騒音を軽減する静音化機構を具備してなることを特徴とするものである。
【発明の効果】
【００１４】
本発明の磁気共鳴画像診断装置は、傾斜磁場コイルの作動により発生する騒音が著しい、或いは騒音のレベルが変化している撮影室内の被検者へ、操作室から行う撮影操作に伴う診断撮影シーケンスの進捗に沿った操作室の指示や連絡、あるいは医師や技師が直接話しかける音声情報を、良く聞き取れて、認知度を高めて放送できる。また、これにより、磁気共鳴画像診断装置による診断撮影が効率よく実施できると共に、被検者の緊張や不安を緩和することができる。
【発明を実施するための最良の形態】
【００１５】
以下、本発明の実施形態を図面により詳細に説明する。
【００１６】
［実施形態１］
図１は、本発明の磁気共鳴画像診断装置の一実施形態を示す概略構成図である。
【００１７】
本実施形態は、大きくは図１に示すように、医師や技師が機器を操作し、被検者の様子を観察する操作室１１と、データ収集機器やデータ記憶・保管機器などを設置・収納している機械室３１と、磁気共鳴装置や寝台が設置されて被検者が入る撮影室２１の３つの室に設置される。
【００１８】
操作室１１には、ローカルエリアネットワーク（以降ＬＡＮと記す）３５に接続された磁気共鳴画像診断装置のホスト中央処理装置１２が設置される。このホスト中央処理装置１２には、これの操作入力装置であるマウス１４やキーボード１５が接続されて入力、指示操作が行われる。また、ホスト中央処理装置１２には、中央記憶装置１７が接続されて、この磁気共鳴画像診断装置全体の制御プログラムや制御データを読み出し、書き込みが行われる。また、中央記憶装置１７には撮影シーケンスに対応する種々のメッセージ文言データも記憶される。またホスト中央処理装置１２には、表示装置１３も接続されて、操作画面や撮影された磁気共鳴画像を表示する。
【００１９】
機械室３１には、ＬＡＮ３５及びペリフェラルバス３６を接続しているデータ収集中央処理装置３２が設置され、収集された画像データなどの各種データが記録保管されるデータ用記憶装置３７も設置されている。ペリフェラルバス３６は、種々の機器が格納される機械室３１のローカルバスであり、主に撮影室に設置される種々の機器間のデータが送受信される。
【００２０】
また、ＬＡＮ３５に接続されたインターフェース３３、３４が設置されて、強力な磁場の発生する撮影室２１内部に設置される機器からの信号或いはデータを中継して入出力する。
【００２１】
撮影室２１は、装置本体部２２と被検者が横たわる寝台２３、及び機械室のインターフェース３３に接続しているインターフェース２４とこれに接続される集音マイク２５、同じく機械室のインターフェース３４に接続しているインターフェース２６とこれに接続されたスピーカ２７のそれぞれが設置されて、構成されている。
【００２２】
なお、集音マイク２５は、装置本体部２２の傾斜磁場コイルが発生する騒音を検知するように設置されている。また、インターフェース２４、２６およびインターフェース３３、３４は、強力な磁場が発生する撮影室２１に設置される機器への信号送受に対する通信の安定を図る機能も有するものである。
【００２３】
次に、図２に示すフローチャート及び図３に示す音声情報の入出力特性を用いて、本実施形態の作用、動作について述べる。
【００２４】
磁気共鳴画像診断装置による診断画像の撮影において、本実施形態が作動する状況は、傾斜磁場コイルが作動する種々の撮影過程で生じる。図２のフローチャートは、例えば、被検者の動きをできるだけ抑えるために、被検者の呼吸を一時的に止めた状態で、撮影が行われる場合において、本実施形態の作動を例に示したものである。
【００２５】
操作室１１からホスト中央処理装置１２へ、「撮影開始」の指示をマウス１４或いはキーボード１５の操作により行うと作動が開始され、ステップＳ１１において、撮影室２１の騒音が「騒音入力」として、撮影室２１の集音マイク２５により観測・検知され、観測データは騒音レベルとして出力される。
【００２６】
さらにこの観測された撮影室の騒音レベルが、時々刻々インターフェース２４、３３を介し、ＬＡＮ３５を経由してホスト中央処理装置１２に送られる。
【００２７】
次のステップＳ１２において、この騒音レベルのデータを受けたホスト中央処理装置１２は、予め設定、記憶されている、例えば、図３（ａ）に示すような騒音入力レベルｘ’に対する音響出力レベルｙ’を出力する関係特性４１を参照して、撮影室２１のスピーカ２７から発声する音声の出力レベルを、時々刻々設定する。なお、この入出力の関係特性は、同図（ａ）に示すような線形関係の特性４１の他に、騒音の音質によっては、同図（ｂ）に示すような聴覚特性に対応して非線形の関係特性４２を設定する設計がなされる。
【００２８】
一方、ステップＳ１３では、操作室１１のホスト中央処理装置１２が、前述の「撮影開始」で設定した磁気共鳴診断画像撮影の所定のプログラムにより、撮影シーケンスを順次進めており、そのシーケンスの進行状況から撮影残り時間を絶えず監視、出力し、さらにこの撮影シーケンスの進行に対応して、撮影室２１にいる被検者に告知するために、予めホスト記憶装置１７に準備設定している種々の指示や連絡の文言データを呼び出すタイミングの時間経過を絶えず監視している。
【００２９】
例えば、図２のフローチャートでは、ステップＳ１４〜ステップＳ１９において、被検者に「撮影の残り時間」を連絡するルーチンの場合を例に示しており、ステップＳ１３により撮影残り時間をチェックして、その判定結果に従って、「検査撮影が終わるまでの残り時間」を所定のタイミングで、如何に示すように指示や連絡のアナウンス内容を変えて行う。
【００３０】
先ず、ステップＳ１４では、残り撮影時間が「１分以上」あるか判定する。「１分以上」の場合には、ステップＳ１５へジャンプし、サブプログラム「１分単位の経過毎に、残り分数をアナウンスする」が実行されて、先のステップＳ１２で撮影室の騒音を上回るように時々刻々設定された音声出力レベルで、残り分数を例えば「撮影は後、Ｎ分です。」のように、撮影室２１内に音声出力する。音声出力の後、ステップＳ１１へ戻る。サブプログラム「１分単位の経過毎に、残り分数をアナウンスする」は、中央記憶装置１７に予め記憶してある撮影シーケンスに対応する種々のメッセージ文言データの中から、その一つを選択し、それを出力する、あるいは文言データを組み合わせて合成音声データを出力するプログラムである。
【００３１】
残りの撮影時間が１分を切った場合は、ステップＳ１６へ進み、残り撮影時間が「３０秒以下、且つ１０秒以上」であるか判定する。この判定において、「３０秒以下、且つ１０秒以上」の場合には、ステップＳ１７へジャンプし、サブプログラム「各１０秒単位の経過毎に、残りＮ十秒をアナウンスする」が実行され、ステップＳ１５と同様に時々刻々設定され、その時点での騒音レベルに対応した音声出力レベルで、例えば「撮影は後、２０秒です。」のように、撮影室２１内に音声出力して、ステップＳ１１に戻る。
【００３２】
さらに、残りの撮影時間が１０秒を切った場合は、ステップＳ１８へ移り、残り撮影時間が「１０秒未満、１秒以上」であるか判定する。この判定において、「１０秒未満、１秒以上」の場合には、ステップＳ１９へジャンプし、ステップＳ１５やＳ１７と同様にステップＳ１２で時々刻々設定された音声出力レベルで、サブプログラム「各１秒単位の経過毎に、ｎ秒をアナウンスする」が実行されて、例えば「撮影は後、ｎ秒です。」のように撮影室２１内に音声出力の後、ステップＳ１３に戻る。
【００３３】
残りの撮影時間が１秒を切った場合は、ステップＳ２０へ進め、［撮影終了をアナウンスする］を実行して撮影室２１内に「撮影終了です。」が音声出力され、この処理を終了する。
【００３４】
本実施形態によれば、傾斜磁場コイルの作動により生じる騒音が激しい撮影室内において、その騒音レベルの変化に対応して、撮影室内の被検者が聞き取れるような音声出力レベルにスピーカ出力を変化して音声を出力するので、予め音声データとして設定した操作者である医師や技師の指示または撮影情報などを、騒音が著しい撮影中に被検者が音声により明瞭に聞くことが可能となる。被検者は受験中に目を閉じることがよくあり、光学的表示を見落とすことがあるが、本実施形態によれば、被検者に検査の状況と進行の様子を確実に周知させることができる。また、被検者が撮影過程で種々の対応を行う場合、例えば、呼吸の停止をする必要がある撮影などの場合に、被検者は、残り撮影時間、或いは呼吸を再開始してよい時期を知ることができるので、息堪えをどれくらい頑張ればよいかなどの緊張が少なく、不安を緩和した受検ができる効果がある。
【００３５】
また、撮影終了時間の連絡の他に、シーケンスを参照しながら、深呼吸、息止め、姿勢など一連の撮影検査のシーケンスに対応する指示連絡などが、騒音が収まった後においても、適正な低い音声レベルに設定されて被検者が明瞭に聞くことが可能となる。
【００３６】
なお、上述では機械室を設ける場合を説明したが、機械室を設けずに機械室３１に備えられるデータ収集中央処理装置３２、データ用記憶装置３７が、操作室１１のホスト中央処理装置１２に併設され、ＬＡＮ３５に接続されたインターフェース３３、３４も操作室１１に設置される構成を形成しても同等の効果を得ることができる。また、スピーカ２７からの音声出力が、集音マイク２５に感知されると音声出力レベルの制御は正帰還ループを構成するので、集音マイク２５の配置位置、およびスピーカ２７の音声出力時には集音マイク２５を低感度にするなどの設計事項技術を一般的に用いることができる。
【００３７】
＜文言データの呼び出しを変形した他の実施形態＞
上述では、撮影シーケンスに従って文言データを順次呼び出すものを示したが、以下に文言データの呼び出しを変形した実施形態を示す。
【００３８】
この変形の実施形態では、操作室１１の医師や技師が、例えば表示装置１３にこの予め設定した文言データを表示し、撮影室２１の被検者に連絡指示したいことに合致するその１つを、マウス１４あるいはキーボード１５により指定指示する。この指定した文言データを、ホスト中央処理装置１２が呼び出し、騒音レベルに対応する音声出力レベルに設定して、ＬＡＮ３５を介してインターフェース３４、２６経由で、スピーカ２７に入力する。スピーカ２７からは、適正な音声出力レベルで音声が放送されて、被検者により認知される。この変形した実施形態は、これを単独で実施しても、あるいは上述のシーケンスに連動する音声出力と併用して実施しても良い。
【００３９】
この変形した実施形態によれば、撮影室の被検者の状況に即した文言データを選択して、その状況に適切な指示、連絡ができる。さらに、前述のシーケンスに連動する音声出力と併用すると、診断撮影の実施をさらに高能率で行う磁気共鳴画像診断装置を提供できる。
【００４０】
＜騒音レベルの決定を変形した他の実施形態＞
さらに、上述では集音マイクによる騒音レベルを決定するものを示したが、以下に騒音レベルの決定を変形した他の実施形態を示す。
【００４１】
磁気共鳴画像診断装置により画像を取得するために実施される撮影シーケンスは、一般的には傾斜磁場および高周波磁場の設定が異なる種々のパルスシーケンスを予め設定されて行われる。このパルスシーケンスには、例えばエコー・プラナー・イメージング（ＥＰＩ）手法や、高速スピンエコー（ＦＳＥ）手法などが一般的に知られており、これらの手法の実施には傾斜磁場、高周波磁場などが所定の設定が、磁気共鳴画像診断装置のパルスシーケンス制御装置により、制御プログラムや制御操作部の指示に従って行われる。
【００４２】
騒音レベルの決定を変形した本実施形態の構成は、図１に示す集音マイク２５およびそのインターフェース２４、３３を設置せずに、撮影室２１の被検者に実施する検査のパルスシーケンスの種類、すなわち検査の手法を識別するパルスシーケンス識別手段を備える。一方、パルスシーケンスの種類により、傾斜磁場および高周波磁場の設定を知ることができるので、このパルスシーケンスの実施により生じる騒音の状況が予め想定できるので、パルスシーケンスの種類とその騒音レベルの対応リストが予め作成されて、例えば、パルスシーケンスがエコー・プラナー・イメージング（ＥＰＩ）手法であれば、大きな騒音レベルが、高速スピンエコー（ＦＳＥ）手法であればＥＰＩに比べて小さな騒音レベルが、中央記憶装置１７あるいはホスト中央処理装置１２の記憶部にそれぞれ保存されている。
【００４３】
本実施形態の作用、動作を、図２と同様の被検者に「撮影の残り時間」を連絡するルーチンの場合を例に、図５に示すフローチャートを用いて、説明する。
【００４４】
撮影開始が指示されると、先ずステップＳ５１で、実施される撮影パルスシーケンスの種類が識別される。
【００４５】
次に識別結果を基に、ステップＳ５２において、記憶装置などに保管されている関係対応リストで、識別した撮影パルスシーケンスに対応する騒音レベルを検索する。さらに検索結果の騒音レベルのデータが、撮影室２１のスピーカ２７から発声する音声の出力レベルを決めるホスト中央処理装置１２の音声出力レベル設定部に送られる。
【００４６】
撮影の残り時間の経過をステップＳ５３で監視し、ステップＳ５４、ステップＳ５６、あるいはステップＳ５８の判定により、それぞれの音声による連絡が、ステップＳ５２により想定した騒音レベルに対応する音声出力レベルでスピーカ２７から放送されて、再びステップＳ５３に戻り、次の音声の連絡のタイミングを待つ。
【００４７】
経過時間が１秒未満になると、ステップＳ６０で、撮影の終了を音声出力して、全ての撮影シーケンスが終了する。
【００４８】
本実施形態によれば、強力な磁場が発生するため、種々の制約や特殊な設置を要する撮影室に、電気機器である集音マイクを設置することなく、撮影室内の被験者に指示・連絡を明瞭に伝達することができる。
【００４９】
［実施形態２］
本願発明の他の実施形態の構成を、図４に示す。この磁気共鳴画像診断装置は操作室１１に備えるホスト中央処理装置１２に、操作を行う医師や技師の発する音声を入力する音声マイク１６を接続して構成される。また、データ収集中央処理装置３２からＬＡＮ３５を介してレベル制御信号が入力される音声信号の可変増幅器３９が設けられる。さらに、スピーカ２７のインターフェース２６と対をなすインターフェースは、入力された音声データが可変増幅器３９の出力によりその音声出力レベルを変更して出力するレベル変換インターフェース３８が設けられて構成される。
【００５０】
本実施形態の作用、動作を、次に説明する。本実施形態は、磁気共鳴画像診断装置の稼動と共に、撮影室２１の騒音が集音マイク２５により観測・検知され、この騒音レベルが、時々刻々インターフェース２４、３３を介してホスト中央処理装置１２に送られる。
【００５１】
一方、操作室１１で操作を行う医師や技師が操作室の音声マイク１６に音声で、撮影室２１の寝台２３に横たわる被検者に対し指示や連絡を入力する。この入力された音声信号が、ホスト中央処理装置１２により処理されて、ＬＡＮ３５を介してレベル変換インターフェース３８に音声信号として送られる。
【００５２】
一方、音声マイク１６からの音声信号を受信したホスト中央処理装置１２では、この時点で撮影室２１の集音マイク２５に入力された傾斜磁場コイル騒音の騒音レベルを解析し、図３（ａ）あるいは同図（ｂ）に示す入出力特性の関係データを参照して、解析した騒音レベルに対応したレベル制御信号をＬＡＮ３５を介して可変増幅器３９へ入力する。このレベル制御信号が入力された可変増幅器３９は、レベル変換インターフェース３８の増幅度、すなわち、レベル変換インターフェース３８に入力された音声信号の出力レベルデータ部をレベル制御信号により変更設定する。この出力レベルデータ部が変更設定され、レベル変換インターフェース３８から出力された音声信号はインターフェース２６を介して、騒音の中でも聴取できる出力レベルまで高められてスピーカ２７から音声として放送される。
【００５３】
本実施形態によれば、磁気共鳴画像診断画像の撮影シーケンスに関係なく、進行状況に即座に対応した指示や連絡を、操作室の医師や技師から、傾斜磁場コイルが稼働中の撮影室の被検者に直接行うことができる。したがって、この実施形態によれば、所定のシーケンスで想定し得ない緊急の事態や、例えば横たわる位置や姿勢などの被検者毎に異なる事項の指示、連絡を、操作室のモニタなどにより撮影室の被検者の様子を観察している医師や技師が直接発声して行うことができ、これを被検者に明瞭に伝えることができる。
【図面の簡単な説明】
【００５４】
【図１】本発明の一実施形態を示す概略構成図。
【図２】本発明の実施形態を示すフローチャート。
【図３】本発明の実施形態における騒音入力レベルと音響出力レベルの関係特性の一例を示す図。
【図４】本発明の他の実施形態を示す概略構成図。
【図５】本発明の実施形態の変形を示すフローチャート。
【符号の説明】
【００５５】
１１・・・操作室、
１２・・・ホスト中央処理装置、
１３・・・表示装置、
１４・・・マウス、
１５・・・キーボード、
１６・・・音声マイク、
１７・・・中央記憶装置、
２１・・・撮影室、
２２・・・装置本体部、
２３・・・寝台、
２４、２６、３３、３４・・・インターフェース、
２５・・・集音マイク、
２７・・・スピーカ、
３１・・・機械室、
３２・・・データ収集中央処理装置、
３５・・・ＬＡＮ、
３６・・・ペリフェラルバス、
３７・・・データ用記憶装置。
【図１】
2006149622.tif 000003
【図２】
2006149622.tif 000004
【図３】
2006149622.tif 000005
【図４】
2006149622.tif 000006
【図５】
2006149622.tif 000007